(57)【要約】      （修正有）【課題】睡眠時における使用者の状態把握の精度を向上させる装置を提供する。【解決手段】睡眠状態測定装置は、使用者頸部の周方向に沿って装着可能に構成されたネックバンド１１と、ネックバンド１１に取り付けられたセンサ部とを備える。センサ部は、使用者の咽喉音を取得する音センサと、光学センサ２１，２２と、使用者の体動を測定するための加速度センサ２３とを有し、音センサ、光学センサ２１，２２及び加速度センサ２３が互いに近接配置されている。【選択図】図６
2019201946.tif 000002
【特許請求の範囲】
【請求項１】
使用者頸部の周方向に沿って装着可能に構成されたネックバンドと、
前記ネックバンドに取り付けられたセンサ部とを備え、
前記センサ部は、使用者の咽喉音を取得する音センサと、使用者の頸部に向けて発光する発光部と該頸部内からの反射光を受光する受光部とを有する光学センサと、使用者の体動を測定するための加速度センサとを有し、
前記音センサ、前記光学センサ及び前記加速度センサが互いに近接配置された
睡眠状態測定装置。
【請求項２】
前記ネックバンドは、Ｃ字状に形成され、前記音センサ、前記光学センサ及び前記加速度センサが前記ネックバンドの端部に設けられた
請求項１に記載の睡眠状態測定装置。
【請求項３】
前記音センサ、前記光学センサ及び前記加速度センサがセンサユニットとしてユニット化され、当該センサユニットが前記ネックバンドに対して着脱可能に構成された
請求項１または２に記載の睡眠状態測定装置。
【請求項４】
前記音センサで取得された音データと前記光学センサで取得された光データに基づいて使用者の呼吸状態および睡眠状態の少なくともいずれか一方を判定する判定部を有し、
前記判定部で判定された呼吸状態および／または睡眠状態と、その状態時の体動情報および／または体位情報と紐づける
請求項１に記載の睡眠状態測定装置。
【請求項５】
前記音センサからの取得データ情報、前記光学センサからの取得データ情報、前記加速度センサからの取得データ情報、前記判定部による呼吸状態および／または睡眠状態の情報、並びに、その状態時の体動情報および／または体位情報、のうちの少なくとも１つの情報を所定期間にわたって蓄積する記憶部と、
前記記憶部に蓄積された情報に基づいて、所定期間における呼吸状態および睡眠状態の評価をする制御部とを備える
請求項４に記載の睡眠状態測定装置。
【請求項６】
前記判定部は、前記呼吸状態の判定を、前記加速度センサの測定値の変動幅が所定の範囲内にある状態が所定時間以上継続した場合に実行する
請求項４に記載の睡眠状態測定装置。
【請求項７】
外部機器との通信するための通信モジュールを備える
請求項１から６のいずれか１項に記載の睡眠状態測定装置。
【発明の詳細な説明】
【技術分野】
【０００１】
本発明は、主に在宅等で被験者の睡眠状態を測定する装置に関する。
【背景技術】
【０００２】
従来より、使用者の睡眠状態を測定する装置が知られている。
【０００３】
例えば、特許文献１には、酸素飽和度指センサ、胸部ベルトの抵抗変化、喉部に接着されたマイクロフォン及び鼻の下に装着されたフローセンサの測定結果に基づいて、単位時間当たりの無呼吸回数等などを演算する生体情報測定装置が示されている。
【０００４】
また、特許文献２には、呼吸ペース分析部と、無呼吸区間抽出部とを有する無呼吸検出装置が開示されている。呼吸ペース分析部は、周囲から発せられた周囲音と使用者の姿勢情報とを基にして、使用者の呼吸ペースを判定する。無呼吸区間抽出部は、呼吸ペースと周囲音中の無音区間とを基にして、使用者が呼吸していると推定される区間に無音区間が含まれるか否かを判定する。
【先行技術文献】
【特許文献】
【０００５】
【特許文献１】特開２０００−３１２６６９号公報
【特許文献２】国際公開第２０１０／０４４１６２号
【発明の概要】
【発明が解決しようとする課題】
【０００６】
しかしながら、特許文献１の技術は、鼻の下、指、胸のそれぞれにセンサを装着する場合に、各種センサをケーブルで接続する必要があるので、被験者にとって煩わしく感じる場合があり、睡眠の妨げとなる場合がある。
【０００７】
また、特許文献２では、周囲音の収録データに基づいて有音か無音かを判断して、無音である場合に無呼吸診断を行うようにしているが、周囲の雑音といびきとの切り分けが難しい場合がある。また、雑音の多い環境では使用することができないといおう問題がある。
【０００８】
本発明は、かかる点に鑑みてなされたものであり、睡眠時における使用者の状態把握の精度を向上させた睡眠状態測定装置を提供することを目的とする。
【課題を解決するための手段】
【０００９】
本発明の一態様に係る睡眠状態測定装置は、使用者頸部の周方向に沿って装着可能に構成されたネックバンドと、前記ネックバンドに取り付けられたセンサ部とを備え、前記センサ部は、使用者の咽喉音を取得する音センサと、使用者の頸部に向けて発光する発光部と該頸部内からの反射光を受光する受光部とを有する光学センサと、使用者の体動を測定するための加速度センサとを有し、前記音センサ、前記光学センサ及び前記加速度センサが互いに近接配置される。
【００１０】
本態様によると、近接配置された音センサから取得される呼吸音データと、加速度センサによる振動の振幅の二つの測定結果の組み合わせから使用者の状態（例えば、呼吸状態や睡眠状態）を判断することができるので、従来技術と比較して、睡眠時における使用者の状態把握の精度を向上させることができる。さらに、従来技術と比較して、睡眠時の遷移時間の区分けの精度を向上させることができる。
【００１１】
前記睡眠状態測定装置において、前記音センサ、前記光学センサ及び前記加速度センサがセンサユニットとしてユニット化され、当該センサユニットが前記ネックバンドに対して着脱可能に構成されていてもよい。
【００１２】
このように、センサユニットを着脱可能にすることにより、共通のセンサユニットをサイズの異なるネックバンドに適用することができるようになる。これにより、例えば、互いに頸部のサイズが異なる複数の使用者で共通のセンサユニットを使用することができるようになる。また、例えば、使用者の体型の変化に応じて、ネックバンドを交換することができるようになる。
【００１３】
前記睡眠状態測定装置において、前記音センサで取得された音データと前記光学センサ部で取得された光データに基づいて使用者の呼吸状態および睡眠状態の少なくともいずれか一方を判定する判定部を有し、前記判定部で判定された呼吸状態および／または睡眠状態と、その状態時の体動情報および／または体位情報と紐づけるようにしてもよい。
【００１４】
本態様によると、睡眠時の体動や体位を加速度センサで測定することができるので、特定の呼吸状態（例えば、低呼吸・無呼吸）が判断されたときの体位を記録に残すことが可能となる。すなわち、どのような寝相の時に、特定の呼吸状態（例えば、低呼吸・無呼吸）が発生しているのかの検証が可能となる。さらに、加速度センサと音センサを近接配置しているので、体位・体動と、呼吸状態との相関性が高い。
【発明の効果】
【００１５】
本発明によると、音センサ、光学センサ及び加速度センサの近接配置により、睡眠時における使用者の状態把握の精度を向上させることができる。
【図面の簡単な説明】
【００１６】
【図１】睡眠状態測定装置の装着状態を示す模式図
【図２Ａ】睡眠状態測定装置を斜め下側から見た斜視図
【図２Ｂ】睡眠状態測定装置の回動状態を示す斜視図
【図２Ｃ】睡眠状態測定装置からセンサユニットを取り外した状態を示す斜視図
【図３】睡眠状態測定装置の底面図
【図４】睡眠状態測定装置の正面図
【図５】睡眠状態測定装置の側面図
【図６】図５のVI−VI線断面図
【図７】図５のVII−VII線断面図
【図８】図６の領域VIIIの拡大図
【図９】図６の領域IXの拡大図
【図１０】睡眠状態測定装置の概略構成を示すブロック図
【図１１】制御部の概略構成を示すブロック図
【図１２】端末装置の表示画面の一例を示す図
【発明を実施するための形態】
【００１７】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１８】
＜睡眠状態測定装置の構造＞
図１は、睡眠状態測定装置Ａの被験者への装着状態を示した外観図である。睡眠状態測定装置Ａは、ネックバンド型であり、睡眠時に使用者頸部に装着されることにより、使用者の睡眠状態が測定できるように構成されている。
【００１９】
図１に示すように、使用者頸部の周方向に沿って装着可能に構成されたネックバンド１１と、ネックバンド１１に取り付けられたセンサユニット２とを備える。
【００２０】
ネックバンド１１は、後述するセンサ部２０の各センサ２１，２２，２３，２４が頸部からの測定信号を受信できる場所に配置されるように構成される。すなわち、ネックバンド１１は、使用者頸部の周方向に沿って装着可能に構成される。なお、その具体的な構成は特に限定されるものではない。
【００２１】
例えば、図２Ａに示すように、ネックバンド１１は、弾性を有する材料を用いて略Ｃ字状に形成される。ネックバンド１１は、使用者により、開口部分を両側に広げられた後、頸部の後ろ側から頸部に向かって装着され、使用者の頸部を周方向の外側から挟み込むようになっている（図１参照）。なお、ネックバンド１１の形状は、センサユニット２のセンサ部分が使用者の皮膚に密着できる構造であればよいので、略Ｃ字形状に限定されるものではない。
【００２２】
センサユニット２は、ネックバンド１１の一方の開放端部に設けられている。センサユニット２は、正面に表示部４２、上下方向の側面（例えば、下面）に押ボタン式の操作部４５が設けられた筐体５０を備える。これにより、使用者が装着した状態でも操作しやすくなる。なお、操作部４５が筐体５０の他の側面に設けられていてもかまわない。
【００２３】
また、図２Ａに示すように、ネックバンド１１の他方の開放端部には、睡眠状態測定装置Ａが、その装着後に使用者頸部の周方向にずれにくいように滑り止め１４が設けられている。なお、本実施形態では、使用者の装着状態を基準として、上下方向、左右方向を定義する。また、使用者の正面（胸）側を前、背中側を後と定義する。
【００２４】
なお、図２Ｂ及び図２Ｃに示すように、センサユニット２は、ネックバンド１１に対して人体側（内側）に向かう方向への回動と、ネックバンド１１への着脱（取り付け及び取り外し）が可能に構成されていてもよい。具体的に、センサユニット２は、筐体５０の長手方向（以下「筐体長手方向」という）におけるネックバンド１１側の端部（以下、基端部という）から外側に向かって一体的に突設された支持部５１を備える。支持部５１は、筐体５０の基端部から外側に向かって突設された板状の支持本体部５１ａ（図６参照）と、支持本体部５１ａの先端に一体形成され、支持本体部５１ａの板厚よりも直径が若干大きく形成された断面視で鉤状の係合突部５１ｂ（図６参照）とを備える。
【００２５】
ネックバンド１１の筐体５０側の端部には、ネックバンド１１に対して回動可能に支持された被嵌合部１２が設けられる。
【００２６】
被嵌合部１２は、ネックバンド１１の幅方向に向かって延びる支軸１３（図６参照）によって軸支される。さらに、被嵌合部１２は、断面視で有底の略Ｕ字形状に形成されていて、支持部５１を嵌め込むことができるようになっている。具体的に、被嵌合部１２は、支持部５１の係合突部５１ｂの直径よりも若干小さい開口幅の嵌入口を有する。そして、被嵌合部１２は、その嵌入口の開口幅で対向配置された対をなす板状の側壁を有する抜け止め部１２ａと、抜け止め部１２ａの底部側の端部と連続形成され、係合突部５１ｂの直径よりも若干大きく形成された断面視で略円形状の収容空間を有する収容部１２ｂとを備える。
【００２７】
そして、筐体５０の支持部５１を被嵌合部１２に嵌め込むときには、抜け止め部１２ａの側壁が撓んで、抜け止め部１２ａの幅が広がることによって係合突部５１ｂの挿入動作が許容され、係合突部５１ｂを収容部１２ｂに嵌め込むことができる。一方で、係合突部５１ｂが収容部１２ｂに嵌め込まれた後には、抜け止め部１２ａは、その側壁が撓まない限り係合突部５１ｂが嵌め込み方向と逆の方向に抜け出るのを防止する。
【００２８】
さらに、ネックバンド１１内に、被嵌合部１２を回動状態から通常使用状態に向かって付勢するばね１５（図６参照）を設けてもよい。
【００２９】
なお、本実施形態では、図１に示すように、睡眠状態測定装置Ａが人体に装着できるような状態にあることを通常使用状態と呼ぶものとし、図２Ｂに示すようにセンサユニット２がネックバンド１１に対して回動された状態を回動状態と呼ぶものとする。
【００３０】
なお、センサユニット２の回動構成、着脱構成は、図２Ａ〜図２Ｃに示した構成に限定されるものではなく、同様の機能を有する他の構成で実現されていてもよい。
【００３１】
さらに、センサユニット２には、筐体５０の基端側の側端面に、後側に向かって開口する通信コネクタ６５が設けられている。通信コネクタ６５は、例えば、ＵＳＢ（Universal Serial Bus）ケーブル等の通信ケーブルが接続できるように構成されていて、外部機器（例えば、パソコン）との通信に利用したり、外部からバッテリ６１への充電に利用したりすることができる。なお、通信コネクタ６５の具体的構成は、従来技術を適用できるので、ここではその詳細説明を省略する。
【００３２】
このような位置に通信コネクタ６５を設けることにより、通信コネクタ６５が、センサユニット２の回動状態において外部に露出される一方で、通常使用状態では外部に露出されないようにすることができる。これにより、睡眠状態測定装置Ａの意匠性が向上するとともに、通信コネクタ６５へのゴミ等の侵入を防ぐことができる。
【００３３】
図４及び図６に示すように、筐体５０には、筐体長手方向に沿って延びるように配置された、すなわち、睡眠状態測定装置Ａの装着状態において使用者の頸部に沿って延びるように配置された基板６０が収容されている。
【００３４】
基板６０の表面には、中央に加速度センサ２３が設けられ、先端側に音センサとしての呼吸センサ２４が設けられる。また、基板６０の裏面中央には、光学センサ２１，２２が設けられる。すなわち、呼吸センサ２４、光学センサ２１，２２及び加速度センサ２３が互いに近接配置される。なお、本実施形態では、基板６０の方向に関し、筐体長手方向に沿う方向を長手方向、長手方向に直交する方向を幅方向と呼ぶものとする。また、基板６０の使用者頸部側の面を裏面、その反対側の面を表面と定義する。また、基板６０の長手方向における、ネックバンド１１側の端を基端といい、開放端側の端を先端と呼ぶものとする。
【００３５】
呼吸センサ２４は、使用者の咽喉音を取得するものである。具体的な構成は特に限定されないが、例えば、ＭＥＭＳマイクロフォンのような従来から知られているマイクロフォンを適用することができる。なお、本実施形態では、呼吸センサ２４を基板６０上に設けているので、図７に示すように、筐体５０先端部の頸部側の表面に咽喉音を取得するための音孔５７を設けるとともに、音孔５７から呼吸センサ２４まで音を導くために周囲を壁部５８で囲まれた導音路５９を設けている。壁部５８は、筐体５０の外壁と一体形成されかつ音孔５７から筐体５０の内側に向かって導音路５９が広がるように形成された壁部５８ａと、その壁部５８ａと基板６０との間に振動を吸収するために挟み込まれたゴム製の緩衝材５８ｂとによって構成される。このように導音路５９を設けることで、筐体５０内の反響ノイズを防止することができる。ここで、呼吸センサ２４への咽喉音の取得は、基板６０の先端側、すなわち、センサユニット２の先端側であり、睡眠状態測定装置Ａの開放端側に設けられるのが好ましい。これにより、使用者の気道により近い位置で咽喉音を取得することができる。したがって、音孔５７は、筐体５０の先端側に設けるのが好ましく、導音路５９の引き回しを容易にする観点から、呼吸センサ２４も基板の先端側に設けるのが好ましい。
【００３６】
光学センサ２１，２２は、使用者の頸部に向けて発光する発光部（図示省略）と頸部内からの反射光を受光する受光部（図示省略）とを有する。
【００３７】
図８は、光学センサ２１，２２周辺の構成例を示している。図８に示すように、光学センサ２１，２２の光照射方向（人体側）に樹脂製の透明板５３を配置している。さらに、光学センサ２１，２２の周囲は、外からの光を斜行するために、遮光性の高い樹脂製の部材５２で囲まれている。さらに、筐体５０の位置と、基板６０の固定位置との位置合わせ精度を高めるために、基板と筐体の間に図９に示すような位置決めのための位置決めボス５５を設けている。
【００３８】
なお、本実施形態では、光学センサ２１，２２として、赤外式の光学センサ２１と、赤色光源を用いた光学センサ２２とを用いた例を示している。そして、光学センサ２１，２２の互いを区別して説明する場合に、赤外式のセンサを赤外センサ２１といい、赤色光源を用いたセンサを赤色光センサ２２と呼ぶことがある。ただし、本実施形態では、機能及び動作等の説明の便宜上、光学センサ２１，２２を分けて説明しているが、２つ光学センサ２１，２２の機能を単一のモジュールで実現してもよい。
【００３９】
加速度センサ２３は、使用者の体動及び／または体位を測定するためセンサである。なお、図４及び図６では、加速度センサは、基板表面の中央に配置されるものとしたが、これに限定されない。具体的に、加速度センサ２３は、他センサと近接配置されていればよく、基板の表裏面のどこかに配置されていればよい。また、加速度センサ２３の構成は、従来から知られているものを使用することができ、加速度センサ２３に基づく体動及び／または体位の測定方法も従来技術を用いることができるので、ここでは、その詳細説明を省略する。
【００４０】
さらに、基板６０には、長手方向の基端部に前述の通信コネクタ（充電コネクタ）６５が設けられ、長手方向の先端部表面に、外部の機器（例えば、携帯電話等の端末装置８０）との無線通信が可能に構成された通信モジュール６２が設けられる。また、基板６０の表面中央の基端寄りの場所に、筐体５０の内壁面と基板６０とで挟み込むようにバッテリ６１が設けられる。
【００４１】
なお、具体的な図示は省略しているが、通信モジュール６２の先端側にはアンテナが内蔵されており、平面視において、バッテリ６１とアンテナとが重ならないようにしている（図４参照）。これにより、バッテリ６１が通信モジュール６２のアンテナの通信品質に影響を与えることを防ぐことができる。通信モジュール６２は、例えば、Bluetooth（登録商標）による通信が可能に構成されたＢＬＥ（Bluetooth Low Energy）に対応したモジュールであり、外部機器との双方向通信ができるようになっている。ただし、通信モジュール６２の通信方式は、ＢＬＥに限定されるものではなく、他の方式であってもよい。また、通信対象となる外部機器の種別は特に限定されない。例えば、図１に示すように、端末装置８０であってもよいし、枕や照明機器等に内蔵された他の測定装置、制御装置と相互に通信して連携動作するように構成されてもよい。また、ネットワークを介して接続されたサーバ装置（図示省略）等が通信対象であってもよい。
【００４２】
基板６０表面には、さらに、センサユニット２全体の動作を制御する制御部３と、制御部３で判定されたデータを記憶する記憶部４４が設けられる。
【００４３】
制御部３は、例えば、マイクロコンピュータで実現することが可能であり、各種演算及び制御を実行する。制御部３は、各センサ２１，２２，２３，２４の測定データに基づいて、血中酸素濃度、脈拍、体動及び／または呼吸音を演算するとともに、それらの演算結果に基づいて、呼吸状態、睡眠モード及び／または眠りの深さを判定する機能を有する。
【００４４】
＜睡眠状態測定装置のブロック構成及び動作＞
図１０は、睡眠状態測定装置Ａの構成を示すブロック図であり、図１１は、制御部３の構成を示すブロック図である。なお、睡眠状態測定装置Ａの構造的な特徴については、前述の「睡眠状態測定装置の構造」で説明しており、ここでは、電気的な構成（ブロック構成）の特徴を中心に説明するものとする。
【００４５】
図１０に示すように、センサ部２０の各センサ２１，２２，２３，２４の取得データは、制御部３に送られる。具体的に、光学センサ２１は、受光部（図示省略）で受光された測定データ（周期情報を含む）を、赤外処理データＤＲ１として制御部３に出力する。同様に、光学センサ２２は、受光部（図示省略）で受光された測定データ（周期情報を含む）を、赤色処理データＤＲ２として制御部３に出力する。加速度センサ２３は、加速度の測定データを、加速度データＤＧとして出力する。呼吸センサ２４は、咽喉音の測定データを、呼吸音データＤＡとして制御部に出力する。
【００４６】
図１１に示すように、制御部３は、演算部３１と、判定部３３と、信号生成部３９とを備える。
【００４７】
演算部３１は、各センサ２１，２２，２３，２４の測定データに基づいて、血中酸素濃度、脈拍、体動及び／または呼吸音を演算する。演算方法には、種々の方法があり、その具体的な方法は任意に選択し、その演算に用いるパラメータ等は任意に設定することができる。以下の説明では、発明の理解を容易にするために、演算方法の一例について説明するが、本発明の演算方法を限定する意図を有するものではない。後述する判定部３３による判定方法についても同様である。
【００４８】
演算部３１は、赤外処理データＤＲ１及び赤色処理データＤＲ２に基づいて血中酸素濃度を演算する。例えば、赤外処理データＤＲ１及び赤色処理データＤＲ２にＦＦＴ処理を実行して周波数成分を抽出し、赤外処理データＤＲ１の周波数成分と、赤色処理データＤＲ２の周波数成分との対比演算の結果に基づいて血中酸素濃度を求める。なお、血中酸素濃度の演算間隔は任意に設定できる。すなわち、演算部３１は、血中酸素濃度を常時演算するようにしてもよいし、所定の時間毎に演算するようにしてもよい。また、血中酸素濃度を所定の時間毎に演算する場合に、光学センサ２１，２２を所定の時間毎に動作させるようにしてもよい。すなわち、光学センサ２１，２２の運転間隔を、任意に設定・変更してもよい。演算間隔（センサの運転間隔）を狭めることで測定精度を向上させることができ、演算間隔（センサの運転間隔）を広げることで、消費電力を削減することができる。以下で説明する他のセンサにおいても同様である。
【００４９】
演算部３１は、赤色処理データＤＲ２に基づいて脈拍数を演算する。具体的には、赤色処理データＤＲ２に基づいて動脈流の周期を演算し、その周期に基づいて脈拍数を演算する。
【００５０】
演算部３１は、加速度データＤＧに基づいて体動及び体位を演算する。具体的には、加速度データＤＧにより睡眠状態測定装置Ａの傾き度合いや動きスピードや大きさの情報を取得することができるので、その情報に基づいて、体動及び体位（以下、単に体動と記載する場合がある）を演算する。
【００５１】
演算部３１は、呼吸音データＤＡに基づいて呼吸状態を把握する基となるデータを求める。例えば、演算部３１は、呼吸音データＤＡに基づいて呼吸音の周波数成分（以下、単に呼吸音と記載する）を抽出する。
【００５２】
判定部３３は、演算部３１で演算された血中酸素濃度、脈拍数、体動、呼吸音の演算結果に基づいて、使用者の呼吸状態、睡眠状態を判定する。
【００５３】
第１判定部３５は、呼吸音に基づいて、低呼吸状態もしくは無呼吸状態であるか否かを判定する。
【００５４】
低呼吸状態の判定は、例えば、使用者の咽喉音の振幅値が、所定の基準値（例えば、通常時の振幅）と比較して所定の割合以下の状態が所定期間継続した場合に低呼吸状態と判定する。無呼吸状態についても同様の原理で判定可能である。
【００５５】
所定の基準値として用いるデータは、特に限定されない。例えば、使用者毎に測定するようにしてもよいし、製造者等によって任意に設定されたデータを活用するようにしてもよい。
【００５６】
「所定の割合以下の状態が所定期間継続」したことを検知する方法は、特に限定されない。例えば、咽喉音の振幅値のピーク間隔を測定する方法、咽喉音の移動平均を求めて活用する方法、所定の基準値を超えたか否かを二値化して判定する方法がある。
【００５７】
第１判定部３５は、呼吸音に加えて、血中酸素濃度を用いて低呼吸状態もしくは無呼吸状態であるか否かを判定するようにしてもよい。例えば、上記呼吸音に基づいた判断に加えて、血中酸素濃度が、所定の基準値から所定値以上低下しているか否かという基準を追加してもよい。これにより、低呼吸状態もしくは無呼吸状態の判定精度を高めることができる。
【００５８】
また、低呼吸状態もしくは無呼吸状態の判定に、体動情報を加味してもよい。具体的には、体動が起こっている場合には、呼吸センサ２４の測定結果にノイズが乗りやすい傾向がある。そこで、所定以上の体動がある場合に、その期間中の測定結果をマスクするようなことをしてもよい。これにより、より判定精度を高めることができるようになる。
【００５９】
そして、第１判定部３５もしくは後述する信号生成部３９では、低呼吸状態もしくは無呼吸状態が発生した場合に、その呼吸状態と体動又は体位とを紐づける。これにより、どのような体位で低呼吸状態や無呼吸状態が発生したかを視覚化することができ、使用者が寝る向きを工夫する等の対策を取りやすくなる。このとき、使用者の頸部で取得した咽喉音に基づいて呼吸状態を判定し、かつ、近接して設けられた加速度センサ２３で体動を見ているので、体の向き（首の向き）と呼吸状態との相関度を高めることができるという特徴がある。
【００６０】
本開示の技術では、呼吸センサ２４、光学センサ２１，２２、加速度センサ２３を近接配置している、すなわち、使用者頸部の近接位置からの測定データに基づいて演算及び判定を行っているので、外部ノイズの影響を受けにくい。したがって、より精度の高い測定結果、判定結果を得ることができる。さらに、タイムラグが極小化された状態でデータの紐付けをすることができる。また、本開示の技術では、使用者の頸部に装着した睡眠状態測定装置Ａのみを用いているので、特許文献１のように、体の複数の場所にセンサを付ける必要がなく、使用者の負担が少ないという特徴がある。
【００６１】
第２判定部３６は、脈拍数、体動及び呼吸音に基づいて、眠りの深さを判定する。例えば、第２判定部３６は、呼吸音が通常呼吸状態であり、脈拍数が安定しており、体動量が所定の基準値以下の場合に、睡眠が深い状態であると判定する。ここで、通常呼吸状態とは、呼吸音が低呼吸状態、無呼吸状態及び後述するいびき状態に該当しない状態であることを指すものとする。また、脈拍数が安定しているとは、例えば、所定期間の変動量が所定値以下であることにより判断することができる。
【００６２】
本開示の技術では、前述のとおり、呼吸センサ２４、光学センサ２１，２２、加速度センサ２３を近接配置しているので、それぞれのセンサを体の別の部位に装着したり、一部のセンサ（例えば、マイク）を体から離して設置したりした場合と比較して、外部ノイズの影響を受けにくい。したがって、より精度の高い睡眠状態の判定が可能になる。
【００６３】
第３判定部３７は、脈拍数及び体動に基づいて、通常呼吸モードか否か、睡眠モードに入っているか否かを判定する。例えば、第３判定部３７は、脈拍数が一定期間において安定している場合に、その期間中において、加速度センサの測定結果（体動）の振れ幅が所定値以下であり、かつ、呼吸音が安定している場合に、睡眠モードに入ったと判定する。呼吸音が安定しているか否かは、例えば、呼吸音のピーク位置と、そのピーク位置間の間隔に基づいて、所定の条件を満たすかどうかで判断することができる。
【００６４】
第４判定部３８は、呼吸音に基づいて、いびきをしている状態（いびき状態という）か否かを判定する。いびきをしているか否かは、呼吸音が所定の基準を超えているか否かで判定する。いびきは、他の呼吸状態と比較して、その音量が数倍以上と高いため、容易に判定することができる。
【００６５】
信号生成部３９は、第１判定部３５〜第４判定部３８の判定結果を受けて、信号を生成する機能を有する。具体的には、各データの紐付けを行ったり、加工した信号を生成する。また、後段の信号出力部４１（通信コネクタ６５に相当）やデータ送信部４３（通信モジュール６２に相当）を介して出力可能なデータに変換したり、表示部４２に表示させるデータを生成する。信号生成部３９で生成された信号は、信号出力部４１やデータ送信部４３を介して外部機器（例えば、端末装置８０）に送信されたり、表示部４２に表示される。また、制御部３は、信号生成部３９で生成されたデータを記憶部４４に格納するようにしてもよい。
【００６６】
図１２は、端末装置８０の表示画面８１における表示例を示している。本開示の技術では、複数の判定結果を紐づけて表示させることができるという特徴がある。例えば、図１２に示すように、呼吸状態（図１２ではいびきの大きさ）を表示させるとともに、その呼吸状態の時に、体の向きがどちらを向いていたかを表示させることができる。これにより、使用者の利便性を高めることができる。例えば、前述のとおり、使用者が寝る向きを工夫する等の対策を取りやすくなる。
【００６７】
なお、睡眠状態測定装置Ａの制御部３は、演算部３１の演算結果（血中酸素濃度、脈拍数、体動及び体位、呼吸音等）や、判定部３３の判定結果（呼吸状態、眠りの深さ、睡眠モード、いびきの有無等）を記憶部４４に蓄積するようにしてもよい。これにより、睡眠状態測定装置Ａの制御部３または端末装置等の外部機器により、これらの蓄積データに基づく定量的な評価をすることが可能になる。そうすることで、具体的な症状が出る前、例えば、無呼吸の症状がでる前に睡眠の改善のための対策等を使用者に示すことが可能になる。
【産業上の利用可能性】
【００６８】
本発明は、主に在宅等で被験者の睡眠状態を測定する装置として有用である。
【符号の説明】
【００６９】
Ａ  睡眠状態測定装置
２  センサユニット
３  制御部
１１  ネックバンド
２０  センサ部
２１，２２  光学センサ
２３  加速度センサ
２４  呼吸センサ（音センサ）
３３  判定部
【図１】
2019201946.tif 000003
【図２Ａ】
2019201946.tif 000004
【図２Ｂ】
2019201946.tif 000005
【図２Ｃ】
2019201946.tif 000006
【図３】
2019201946.tif 000007
【図４】
2019201946.tif 000008
【図５】
2019201946.tif 000009
【図６】
2019201946.tif 000010
【図７】
2019201946.tif 000011
【図８】
2019201946.tif 000012
【図９】
2019201946.tif 000013
【図１０】
2019201946.tif 000014
【図１１】
2019201946.tif 000015
【図１２】
2019201946.tif 000016